(57)【特許請求の範囲】
【請求項１】
塗布部材を軸部に備えた塗布棒を内封する塗布棒収納部と、前記塗布棒の塗布部材に隣接するよう弱シールの分離帯を介して液剤を内封する液剤収納部とをカバー部とシール部により形成して備えると共に、前記塗布棒収納部と前記軸部の間の隙間を外部から押えて塞ぎ得る間隔で形成し且つ塗布棒収納部に押えマークを付し、
前記塗布部材に液剤を含浸させる際には、前記押えマークを押えて軸部と塗布棒収納部の隙間を塞ぎ、前記液剤収納部の押圧により分離帯を連通して塗布部材に液剤を含浸させ、前記シール部を反塗布部材側のシール部端から引き剥がして塗布棒を取り出し得るよう構成したことを特徴とする塗布棒包装体。
【請求項２】
塗布部材を軸部に備えた塗布棒を内封する塗布棒収納部と、前記塗布棒の塗布部材に隣接するよう弱シールの第一分離帯を介して第一液剤を内封する第一の液剤収納部と、第一の液剤収納部に隣接するよう弱シールの第二分離帯を介して第二液剤を内封する第二の液剤収納部とをカバー部とシール部により形成して備えると共に、前記塗布棒収納部と前記軸部の間の隙間を外部から押えて塞ぎ得る間隔で形成し且つ塗布棒収納部に押えマークを付し、
前記塗布部材に液剤を含浸させる際には、前記押えマークを押えて軸部と塗布棒収納部の隙間を塞ぐと共に、前記第二の液剤収納部の押圧により第二分離帯を連通して第二液剤を第一液剤に混合させるよう第一の液剤収納部に流入させ、更に前記第一の液剤収納部の押圧により第一分離帯を連通して第一液剤と第二液剤の混合液剤を塗布部材に含浸させ、前記シール部を反塗布部材側のシール部端から引き剥がして塗布棒を取り出し得るよう構成したことを特徴とする塗布棒包装体。
【請求項３】
塗布部材を軸部に備えた塗布棒を内封する塗布棒収納部と、前記塗布棒の塗布部材に隣接するよう分離帯を介して第一液剤を内封する第一の液剤収納部と、前記塗布棒の塗布部材に隣接するよう分離帯を介して第二液剤を内封する第二の液剤収納部とを備えた塗布棒包装体であって、前記第二の液剤収納部の押圧により分離帯を連通して第二液剤を塗布部材に含浸させ、更に前記第一の液剤収納部の押圧により分離帯を連通して第一液剤を第二液剤に混合させると共に塗布部材に含浸させ、第一薬剤と第二薬剤を含浸させる順序により最適に使用し得るよう構成したことを特徴とする塗布棒包装体。
【請求項４】
塗布部材を軸部に備えた塗布棒を内封する塗布棒収納部と、前記塗布棒の塗布部材に隣接するよう第一分離帯を介して形成される空洞の混合部と、前記混合部に隣接するよう第二分離帯を介して第一液剤を内封する第一の液剤収納部と、前記混合部に隣接するよう第二分離帯を介して第二液剤を内封する第二の液剤収納部とを備えた塗布棒包装体であって、前記第二の液剤収納部の押圧により第二分離帯を連通して第二液剤を混合部に流入させ、且つ前記第一の液剤収納部の押圧により第二分離帯を連通して第一液剤を第二液剤に完全に混合させるよう混合部に流入させ、更に前記混合部の押圧により第一分離帯を連通して第一液剤と第二液剤の混合液剤を塗布部材に含浸させるよう構成したことを特徴とする塗布棒包装体。
【請求項５】
塗布棒収納部と軸部の間の隙間を外部から押えて塞ぎ得る間隔で形成し且つ塗布棒収納部に押えマークを付した請求項３又は４記載の塗布棒包装体。
【請求項６】
液剤収納部に分離帯を連通させる破裂部を形成した請求項１〜５のいずれか記載の塗布棒包装体。
【請求項７】
分離帯を弱シールとした請求項３又は４記載の塗布棒包装体。
【請求項８】
カバー部とシール部により形成し、前記シール部を反塗布部材側のシール部端から引き剥がし得るよう構成した請求項３又は４記載の塗布棒包装体。
【発明の詳細な説明】
【０００１】
【発明の属する技術分野】
本発明は、使用する塗布棒に液剤を含浸させる塗布棒包装体に関するものである。
【０００２】
【従来の技術】
一般に、殺菌もしくは治療に用いる薬用の液剤をケガ等の患部に塗付するためには、図７に示すごとく、塗布棒である綿棒１を使用しており、綿棒１は軸部２の先端に楕円球状の綿部３を備えて構成されている。
【０００３】
綿棒１を使用する際には、バイアル瓶等の容器４に液剤を分注して綿棒１の綿部３を容器４中の液剤に浸し、患部に綿部３で液剤を塗付する。
【０００４】
一方、図８に示す如く、綿棒１を包装する包装体５には、綿棒１と共に液剤６を同封し、予め綿棒１の綿部３に液剤６を浸すよう構成されたものがある。ここで、図中、７は包装体５を開封し易いよう形成された切欠きである。
【０００５】
【発明が解決しようとする課題】
しかしながら、綿部３を容器４中の液剤に浸して使用する綿棒１の場合には、容器４に液剤を分注するため準備が煩雑であると共に、容器４中の液剤に複数の綿棒１を含浸させるため、容器４中の液剤が使い回わされて非衛生になるという問題があった。又、包装体５に液剤６と共に同封された綿棒１の場合には、綿部３に液剤６が常に含浸するため、液剤６の種類によっては綿部３が劣化したり、液剤６の成分が変化して使用に適さない状態になるものがあった。
【０００６】
本発明は、上述の実情に鑑みて成したもので、塗布棒の使用を容易にし且つ衛生的に使用し得る塗布棒包装体を提供することを目的としている。
【０００７】
【課題を解決するための手段】
本発明の請求項１は、塗布部材を軸部に備えた塗布棒を内封する塗布棒収納部と、前記塗布棒の塗布部材に隣接するよう弱シールの分離帯を介して液剤を内封する液剤収納部とをカバー部とシール部により形成して備えると共に、前記塗布棒収納部と前記軸部の間の隙間を外部から押えて塞ぎ得る間隔で形成し且つ塗布棒収納部に押えマークを付し、
前記塗布部材に液剤を含浸させる際には、前記押えマークを押えて軸部と塗布棒収納部の隙間を塞ぎ、前記液剤収納部の押圧により分離帯を連通して塗布部材に液剤を含浸させ、前記シール部を反塗布部材側のシール部端から引き剥がして塗布棒を取り出し得るよう構成したことを特徴とする塗布棒包装体に係るものである。
【０００８】
本発明の請求項２は、塗布部材を軸部に備えた塗布棒を内封する塗布棒収納部と、前記塗布棒の塗布部材に隣接するよう弱シールの第一分離帯を介して第一液剤を内封する第一の液剤収納部と、第一の液剤収納部に隣接するよう弱シールの第二分離帯を介して第二液剤を内封する第二の液剤収納部とをカバー部とシール部により形成して備えると共に、前記塗布棒収納部と前記軸部の間の隙間を外部から押えて塞ぎ得る間隔で形成し且つ塗布棒収納部に押えマークを付し、
前記塗布部材に液剤を含浸させる際には、前記押えマークを押えて軸部と塗布棒収納部の隙間を塞ぐと共に、前記第二の液剤収納部の押圧により第二分離帯を連通して第二液剤を第一液剤に混合させるよう第一の液剤収納部に流入させ、更に前記第一の液剤収納部の押圧により第一分離帯を連通して第一液剤と第二液剤の混合液剤を塗布部材に含浸させ、前記シール部を反塗布部材側のシール部端から引き剥がして塗布棒を取り出し得るよう構成したことを特徴とする塗布棒包装体に係るものである。
【０００９】
本発明の請求項３は、塗布部材を軸部に備えた塗布棒を内封する塗布棒収納部と、前記塗布棒の塗布部材に隣接するよう分離帯を介して第一液剤を内封する第一の液剤収納部と、前記塗布棒の塗布部材に隣接するよう分離帯を介して第二液剤を内封する第二の液剤収納部とを備えた塗布棒包装体であって、前記第二の液剤収納部の押圧により分離帯を連通して第二液剤を塗布部材に含浸させ、更に前記第一の液剤収納部の押圧により分離帯を連通して第一液剤を第二液剤に混合させると共に塗布部材に含浸させ、第一薬剤と第二薬剤を含浸させる順序により最適に使用し得るよう構成したことを特徴とする塗布棒包装体に係るものである。
【００１０】
本発明の請求項４は、塗布部材を軸部に備えた塗布棒を内封する塗布棒収納部と、前記塗布棒の塗布部材に隣接するよう第一分離帯を介して形成される空洞の混合部と、前記混合部に隣接するよう第二分離帯を介して第一液剤を内封する第一の液剤収納部と、前記混合部に隣接するよう第二分離帯を介して第二液剤を内封する第二の液剤収納部とを備えた塗布棒包装体であって、前記第二の液剤収納部の押圧により第二分離帯を連通して第二液剤を混合部に流入させ、且つ前記第一の液剤収納部の押圧により第二分離帯を連通して第一液剤を第二液剤に完全に混合させるよう混合部に流入させ、更に前記混合部の押圧により第一分離帯を連通して第一液剤と第二液剤の混合液剤を塗布部材に含浸させるよう構成したことを特徴とする塗布棒包装体に係るものである。
【００１１】
本発明の請求項５は、塗布棒収納部と軸部の間の隙間を外部から押えて塞ぎ得る間隔で形成し且つ塗布棒収納部に押えマークを付した請求項３又は４記載の塗布棒包装体に係るものである。
【００１２】
本発明の請求項６は、液剤収納部に分離帯を連通させる破裂部を形成した請求項１〜５のいずれか記載の塗布棒包装体に係るものである。
【００１３】
本発明の請求項７は、分離帯を弱シールとした請求項３又は４記載の塗布棒包装体に係るものである。
【００１４】
本発明の請求項８は、カバー部とシール部により形成し、前記シール部を反塗布部材側のシール部端から引き剥がし得るよう構成した請求項３又は４記載の塗布棒包装体に係るものである。
【００１５】
塗布棒を使用する場合には、液剤収納部の押圧により分離帯を介して塗布部材に液剤を含浸させ、塗布棒包装体から塗布棒を取り出して使用する。ここで、塗布部材に液剤を含浸させる際には、押えマークを押えて軸部と塗布棒収納部の隙間を塞ぎ、流入する液剤が軸部まで飛散しないようにする。
【００１６】
このように、請求項１〜４記載の塗布棒包装体によれば、塗布部材に液剤を含浸させて塗布棒を取り出し得るので、液剤の分注を不要にすると共に液剤の使い回しを防止し、結果的に、塗布棒の使用を容易にし且つ衛生的に使用することができる。又、塗布部材に液剤が常に含浸することがないので、塗布部材の劣化や液剤の成分の変化を確実に防止することができる。更に、請求項１、２記載の塗布棒包装体において、塗布棒収納部と軸部の間の隙間を外部から押えて塞ぎ得る間隔で形成し且つ塗布棒収納部に押えマークを付すと、塗布部材に液剤を含浸させる際には、押えマークを押えることにより軸部への液剤の飛散を防止するので、軸部が液剤で汚れることがなく、塗布棒を容易に使用することができる。更に又、分離帯を弱シールとすると、液剤収納部の押圧を介して分離帯を容易に連通するので、塗布部材に液剤を簡易に含浸させることができる。又、カバー部とシール部により形成し、前記シール部を反塗布部材側のシール部端から引き剥がし得るよう構成すると、カバー部に対しシール部をシール部端から引き剥がすので、塗布棒を取り出し得るよう容易に開封することができる。更に、請求項３記載の塗布棒包装体において、第一薬剤と第二薬剤を所定の順序に含浸させるので、最適に使用することができる。更に又、請求項４記載の塗布棒包装体において、第一薬剤と第二薬剤を混合部で混合させて混合薬剤を塗布部材に含浸させるので、混合薬剤を完全に混合させることができる。
【００１７】
請求項２記載の塗布棒包装体によれば、塗布棒を使用する直前に第一液剤と第二液剤を混合させて混合液剤を塗布部材に含浸させるので、混合液剤が時間経過により成分変化しやすい場合に最適に使用することができる。
【００１８】
請求項３記載の塗布棒包装体によれば、第二液剤を塗布部材に含浸させた後、第一液剤を第二液剤に混合させると共に塗布部材に含浸させるので、混合液剤が時間経過により成分変化しやすい場合や、複数の液剤を所定の順序に含浸させる場合に最適に使用することができる。
【００１９】
請求項４記載の塗布棒包装体によれば、塗布棒を使用する直前に第一液剤と第二液剤を混合部で混合させて混合液剤を塗布部材に含浸させるので、混合液剤が時間経過により成分変化しやすい場合や、混合液剤を完全に混合させる場合に最適に使用することができる。
【００２０】
請求項５に示す如く、塗布棒収納部と軸部の間の隙間を外部から押えて塞ぎ得る間隔で形成し且つ塗布棒収納部に押えマークを付すと、塗布部材に液剤を含浸させる際には、押えマークを押えることにより軸部への液剤の飛散を防止するので、軸部が液剤で汚れることがなく、塗布棒を容易に使用することができる。
【００２１】
請求項６に示す如く、液剤収納部に分離帯を連通させる破裂部を形成し、もしくは、請求項７に示す如く、分離帯を弱シールとすると、液剤収納部の押圧を介して分離帯を容易に連通するので、塗布部材に液剤を簡易に含浸させることができる。
【００２２】
請求項８に示す如く、カバー部とシール部により形成し、前記シール部を反塗布部材側のシール部端から引き剥がし得るよう構成すると、カバー部に対しシール部をシール部端から引き剥がすので、塗布棒を取り出し得るよう容易に開封することができる。
【００２３】
【発明の実施の形態】
以下、本発明の実施の形態を図示例と共に説明する。
【００２４】
図１〜図３には本発明を実施する形態の第一例である。
【００２５】
第一例の塗布棒包装体１０は、シール部１１と、カバー部１２とで構成されており、カバー部１２には、綿部３（塗布部材）を軸部２に備えた綿棒１（塗布棒）の形状に沿うよう凹状の塗布棒収納部１３を形成して綿棒１を配置すると共に、所定幅の分離帯１４を介して綿棒１の綿部３に隣接するよう凹状の液剤収納部１５を形成して液剤の薬剤１６を溜め、カバー部１２のシール面にはシール部１１を熱接着して綿棒１と薬剤１６を内封している。
【００２６】
又、シール部１１における反塗布部材側には、カバー部１２より分離して把持し得るシール部端１７を形成しており、シール部端１７はシール部１１をカバー部１２より所定長さで引き剥がし（ピールオープン）得るよう構成されている。
【００２７】
更に、塗布棒収納部１３と綿棒１の軸部２の間の隙間１８は、外部から押えて塞ぎ得るよう所定の間隔で形成されると共に、外部から押えていない場合には、綿棒１を取り出し容易になるよう塗布棒収納部１３が邪魔にならない間隔となっている。又、塗布棒収納部１３の外周面には、軸部２の綿部３近傍位置に、押えマーク１９を付している。ここで、液剤収納部１５には、押えマーク１９を押した後、続いて押圧するよう手順を示すマーク（図示せず）を付すことが好ましい。
【００２８】
更に又、液剤収納部１５には、圧力が作用し易いよう分離帯１４に向かって鋭角状の破裂部２０を形成している。又、分離帯１４におけるシール部１１とカバー部１２の熱接着は、弱シールで形成されて薬剤１６の連通を容易にすると共に、外周部におけるシール部１１とカバー部１２の熱接着は、強シールで形成されて薬剤１６の漏れを完全に防止している。ここで、弱シールと強シールは、シール温度、圧力、時間で独立に調整し得るよう形成されている。
【００２９】
以下、本発明を実施する形態の第一例の作用を説明する。
【００３０】
第一例の塗布棒包装体１０において綿棒１を使用する場合には、塗布棒収納部１３の押えマーク１９を押えて軸部２と塗布棒収納部１３の隙間１８を塞ぎ、液剤収納部１５を押圧することにより分離帯１４（シール部１１とカバー部１２の間）を連通して綿部３に薬剤１６を含浸させる。次に、シール部端１７を把持してシール部１１をカバー部１２より所定長さで引き剥がし、シール部１１とカバー部１２の間から綿棒１を取り出して使用する。
【００３１】
このように、綿部３に薬剤１６を含浸させて綿棒１を取り出し得るので、薬剤１６の分注を不要にすると共に薬剤１６の使い回しを防止し、結果的に、綿棒１の使用を容易にし且つ衛生的に使用することができる。又、綿部３に薬剤１６が常に含浸することがないので、綿部３の劣化や薬剤１６の成分の変化を確実に防止することができる。
【００３２】
又、塗布棒収納部１３と軸部２の間の隙間１８を外部から押えて塞ぎ得る間隔で形成し且つ塗布棒収納部１３に押えマーク１９を付すと、綿部３に薬剤１６を含浸させる際には、押えマーク１９を押えることにより軸部２への薬剤１６の飛散を防止するので、軸部２が薬剤１６で汚れることがなく、綿棒１を容易に使用することができる。
【００３３】
更に、液剤収納部１５に分離帯１４を連通させる破裂部２０を形成し、もしくは、分離帯１４を弱シールとすると、液剤収納部１５の押圧を介して分離帯１４を容易に連通するので、綿部３に薬剤１６を簡易に含浸させることができる。
【００３４】
更に又、カバー部１２とシール部１１により形成し、シール部１１を反塗布部材側のシール部端１７から引き剥がし得るよう構成すると、カバー部１２に対しシール部１１をシール部端１７から引き剥がすので、綿棒１を取り出し得るよう容易に開封することができる。又、医療現場等において処置医に助手等が綿棒１を手渡す際には、助手等が綿棒１に触れないことが求められるので、シール部１１をカバー部１２より引き剥がして綿棒１の軸部２を露出させ、シール部１１及びカバー部１２を保持して綿棒１に触れることなく、綿棒１を手渡すことができる。
【００３５】
図４には、本発明を実施する形態の第二例を示しており、図中、図１〜図３と同一の符号を付した部分は同一物を表わしている。
【００３６】
第二例の塗布棒包装体２１は、シール部２２と、カバー部２３とで構成されており、カバー部２３には、綿部３（塗布部材）を軸部２に備えた綿棒１（塗布棒）の形状に沿うよう凹状の塗布棒収納部１３を形成して綿棒１を配置すると共に、所定幅の第一分離帯２４を介して綿棒１の綿部３に隣接するよう凹状の第一の液剤収納部２５を形成して第一液剤の第一薬剤２６を溜め、更に、所定幅の第二分離帯２７を介して第一の液剤収納部２５に隣接するよう凹状の第二の液剤収納部２８を形成して第二液剤の第二薬剤２９を溜め、カバー部２３のシール面にはシール部２２を熱接着して綿棒１と第一薬剤２６及び第二薬剤２９を内封している。
【００３７】
又、第一の液剤収納部２５には、圧力が作用し易いよう第一分離帯２４に向かって鋭角状の破裂部３０を形成すると共に、第二の液剤収納部２８には、同様に圧力が作用し易いよう第二分離帯２７に向かって鋭角状の破裂部３１を形成している。更に、第一分離帯２４及び第二分離帯２７におけるシール部２２とカバー部２３の熱接着は、弱シールで形成されて第一薬剤２６及び第二薬剤２９の連通を容易にすると共に、外周部におけるシール部２２とカバー部２３の熱接着は、強シールで形成されて第一薬剤２６及び第二薬剤２９の漏れを完全に防止している。ここで、弱シールと強シールは、シール温度、圧力、時間で独立に調整し得るよう形成されている。
【００３８】
更に又、第二例の塗布棒包装体２１は、第一例と略同様に、シール部２２における反塗布部材側に、カバー部２３より分離して把持し得るシール部端１７を形成し、且つ、塗布棒収納部１３と綿棒１の軸部２の間の隙間１８は、外部から押えて塞ぎ得るよう所定の間隔で形成されると共に、外部から押えていない場合には、綿棒１を取り出し容易になるよう塗布棒収納部１３が邪魔にならない間隔となっている。ここで、塗布棒収納部１３の外周面には、軸部２の綿部３近傍位置に、押えマーク（図示せず）を付すことが好ましい。
【００３９】
以下、本発明を実施する形態の第二例の作用を説明する。
【００４０】
第二例の塗布棒包装体２１において綿棒１を使用する場合には、第二の液剤収納部２８を押圧して第二分離帯２７を連通することにより、第二薬剤２９を第一薬剤２６に混合させるよう第一の液剤収納部２５に流入させ、次に、塗布棒収納部１３の押えマーク（図示せず）を押えて軸部２と塗布棒収納部１３の隙間１８を塞ぎ、第一の液剤収納部２５を押圧して第一分離帯２４を連通することにより、第一薬剤２６と第二薬剤２９の混合薬剤を綿部３に含浸させる。その後、シール部端１７を把持してシール部２２をカバー部２３より所定長さで引き剥がし、シール部２２とカバー部２３の間から綿棒１を取り出して使用する。
【００４１】
このように第二例の塗布棒包装体２１によれば、綿棒１を使用する直前に第一薬剤２６と第二薬剤２９を混合させて混合薬剤を綿部３に含浸させるので、グルタラール、ｐＨ緩衝剤等の薬剤の如く、混合薬剤が時間経過により成分変化しやすい場合に最適に使用することができる。又、第二例の塗布棒包装体２１は、第一例と略同様な作用効果を得ることができる。
【００４２】
図５には、本発明を実施する形態の第三例を示しており、図中、図１〜図３と同一の符号を付した部分は同一物を表わしている。
【００４３】
第三例の塗布棒包装体３２は、シール部３３と、カバー部３４とで構成されており、カバー部３４には、綿部３（塗布部材）を軸部２に備えた綿棒１（塗布棒）の形状に沿うよう凹状の塗布棒収納部１３を形成して綿棒１を配置すると共に、所定幅の分離帯３５を介して綿棒１の綿部３に隣接するよう凹状の第一の液剤収納部３６を形成して第一液剤の第一薬剤３７を溜め、更に、同様に分離帯３５を介して綿棒１の綿部３に隣接するよう凹状の第二の液剤収納部３８を形成して第二液剤の第二薬剤３９を溜め、カバー部３４のシール面にはシール部３３を熱接着して綿棒１と第一薬剤３７及び第二薬剤３９を内封している。ここで、第二の液剤収納部３８は、液剤分離帯４０を介して第一の液剤収納部３６に隣接するよう左右一対の形状に配置されている。
【００４４】
又、第一の液剤収納部３６には、圧力が作用し易いよう分離帯３５に向かって鋭角状の破裂部４１を形成すると共に、第二の液剤収納部３８には、同様に圧力が作用し易いよう分離帯３５に向かって鋭角状の破裂部４２を形成している。更に、分離帯３５におけるシール部３３とカバー部３４の熱接着は、弱シールで形成されて第一薬剤３７及び第二薬剤３９の連通を容易にすると共に、外周部におけるシール部３３とカバー部３４の熱接着は、強シールで形成されて第一薬剤３７及び第二薬剤３９の漏れを完全に防止している。ここで、弱シールと強シールは、シール温度、圧力、時間で独立に調整し得るよう形成されている。
【００４５】
更に又、第三例の塗布棒包装体３２は、第一例と略同様に、シール部３３における反塗布部材側に、カバー部３４より分離して把持し得るシール部端１７を形成し、且つ、塗布棒収納部１３と綿棒１の軸部２の間の隙間１８は、外部から押えて塞ぎ得るよう所定の間隔で形成されると共に、外部から押えていない場合には、綿棒１を取り出し容易になるよう塗布棒収納部１３が邪魔にならない間隔となっている。ここで、塗布棒収納部１３の外周面には、軸部２の綿部３近傍位置に、押えマーク（図示せず）を付すことが好ましく、又、第一の液剤収納部３６及び第二の液剤収納部３８には、押圧する順序を示すことが好ましい。
【００４６】
以下、本発明を実施する形態の第三例の作用を説明する。
【００４７】
第三例の塗布棒包装体３２において綿棒１を使用する場合には、塗布棒収納部１３の押えマーク（図示せず）を押えて軸部２と塗布棒収納部１３の隙間１８を塞ぎ、第二の液剤収納部３８を押圧することにより分離帯３５を連通して綿部３に第二薬剤３９を含浸させ、更に、第一の液剤収納部３６を押圧することにより分離帯３５を連通して第一薬剤３７を第二薬剤３９に混合させると共に綿部３に含浸させる。その後、シール部端１７を把持してシール部３３をカバー部３４より所定長さで引き剥がし、シール部３３とカバー部３４の間から綿棒１を取り出して使用する。
【００４８】
このように第三例の塗布棒包装体３２によれば、第二薬剤３９を綿部３に含浸させた後、第一薬剤３７を第二薬剤３９に混合させると共に綿部３に含浸させるので、グルタラール、ｐＨ緩衝剤等の薬品の如く、混合薬剤が時間経過により成分変化しやすい場合や、第一薬剤３７と第二薬剤３９を所定の順序に含浸させる場合に最適に使用することができる。又、第三例の塗布棒包装体３２は、第一例と略同様な作用効果を得ることができる。
【００４９】
図６には、本発明を実施する形態の第四例を示しており、図中、図１〜図３と同一の符号を付した部分は同一物を表わしている。
【００５０】
第四例の塗布棒包装体４３は、シール部４４と、カバー部４５とで構成されており、カバー部４５には、綿部３（塗布部材）を軸部２に備えた綿棒１（塗布棒）の形状に沿うよう凹状の塗布棒収納部１３を形成して綿棒１を配置すると共に、所定幅の第一分離帯４６を介して綿棒１の綿部３に隣接するよう凹状の混合部４７を形成し、混合部４７の隣接位置には、所定幅の第二分離帯４８を介して凹状の第一の液剤収納部４９を形成して第一液剤の第一薬剤５０を溜めると共に、同様に第二分離帯４８を介して混合部４７に隣接するよう凹状の第二の液剤収納部５１を形成して第二液剤の第二薬剤５２を溜め、カバー部４５のシール面にはシール部４４を熱接着して綿棒１と第一薬剤５０及び第二薬剤５２を内封し、且つ混合部４７を所定の空洞空間にしている。ここで、第二の液剤収納部５１は、液剤分離帯５３を介して第一の液剤収納部４９に隣接するよう左右一対の形状に配置されている。
【００５１】
又、第一の液剤収納部４９には、圧力が作用し易いよう第二分離帯４８に向かって鋭角状の破裂部５４を形成すると共に、第二の液剤収納部５１には、同様に圧力が作用し易いよう第二分離帯４８に向かって鋭角状の破裂部５５を形成している。更に、第一分離帯４６及び第二分離帯４８におけるシール部４４とカバー部４５の熱接着は、弱シールで形成されて第一薬剤５０及び第二薬剤５２の連通を容易にすると共に、外周部におけるシール部４４とカバー部４５の熱接着は、強シールで形成されて第一薬剤５０及び第二薬剤５２の漏れを完全に防止している。ここで、弱シールと強シールは、シール温度、圧力、時間で独立に調整し得るよう形成されている。
【００５２】
更に又、第四例の塗布棒包装体４３は、第一例と略同様に、シール部４４における反塗布部材側に、カバー部４５より分離して把持し得るシール部端１７を形成し、且つ、塗布棒収納部１３と綿棒１の軸部２の間の隙間１８は、外部から押えて塞ぎ得るよう所定の間隔で形成されると共に、外部から押えていない場合には、綿棒１を取り出し容易になるよう塗布棒収納部１３が邪魔にならない間隔となっている。ここで、塗布棒収納部１３の外周面には、軸部２の綿部３近傍位置に、押えマーク（図示せず）を付すことが好ましい。
【００５３】
以下、本発明を実施する形態の第四例の作用を説明する。
【００５４】
第四例の塗布棒包装体４３において綿棒１を使用する場合には、第二の液剤収納部５１を押圧することにより第二分離帯４８を連通して第二薬剤５２を混合部４７に流入させ、且つ第一の液剤収納部４９を押圧することにより第二分離帯４８を連通して第一薬剤５０を第二薬剤５２に混合させるよう混合部４７に流入させ、次に、塗布棒収納部１３の押えマーク（図示せず）を押えて軸部２と塗布棒収納部１３の隙間１８を塞ぎ、混合部４７を押圧して第一分離帯４６を連通し、第一薬剤５０と第二薬剤５２の混合薬剤を綿部３に含浸させる。その後、シール部端１７を把持してシール部４４をカバー部４５より所定長さで引き剥がし、シール部４４とカバー部４５の間から綿棒１を取り出して使用する。
【００５５】
このように第四例の塗布棒包装体４３によれば、綿棒１を使用する直前に第一薬剤５０と第二薬剤５２を混合部４７で混合させて混合薬剤を綿部３に含浸させるので、グルタラール、ｐＨ緩衝剤等の薬品の如く、混合薬剤が時間経過により成分変化しやすい場合や、混合薬剤を完全に混合させる場合に最適に使用することができる。又、第四例の塗布棒包装体４３は、第一例と略同様な作用効果を得ることができる。
【００５６】
なお、本発明の塗布棒包装体は上述の形態例のみに限定されるものではなく、塗布棒収納部と軸部の間の隙間は外部から押えて塞ぎ得る間隔ならば、塗布棒収納部はどうのような形状でもよいこと、液剤を塗布部材に含浸させる際に薬剤が軸部の保持位置まで飛散することを防止するならば、押しマークはどのような配置でもよいこと、その他、本発明の要旨を逸脱しない範囲内において種々変更を加え得ることは勿論である。
【００５７】
【発明の効果】
以上のように、本発明の塗布棒包装体によれば、下記の如き種々の優れた効果を奏し得る。
【００５８】
Ｉ）請求項１〜４記載の塗布棒包装体によれば、塗布部材に液剤を含浸させて塗布棒を取り出し得るので、液剤の分注を不要にすると共に液剤の使い回しを防止し、結果的に、塗布棒の使用を容易にし且つ衛生的に使用することができる。又、塗布部材に液剤が常に含浸することがないので、塗布部材の劣化や液剤の成分の変化を確実に防止することができる。更に、請求項１、２記載の塗布棒包装体において、塗布棒収納部と軸部の間の隙間を外部から押えて塞ぎ得る間隔で形成し且つ塗布棒収納部に押えマークを付すと、塗布部材に液剤を含浸させる際には、押えマークを押えることにより軸部への液剤の飛散を防止するので、軸部が液剤で汚れることがなく、塗布棒を容易に使用することができる。更に又、分離帯を弱シールとすると、液剤収納部の押圧を介して分離帯を容易に連通するので、塗布部材に液剤を簡易に含浸させることができる。又、カバー部とシール部により形成し、前記シール部を反塗布部材側のシール部端から引き剥がし得るよう構成すると、カバー部に対しシール部をシール部端から引き剥がすので、塗布棒を取り出し得るよう容易に開封することができる。更に、請求項３記載の塗布棒包装体において、第一薬剤と第二薬剤を所定の順序に含浸させるので、最適に使用することができる。更に又、請求項４記載の塗布棒包装体において、第一薬剤と第二薬剤を混合部で混合させて混合薬剤を塗布部材に含浸させるので、混合薬剤を完全に混合させることができる。
【００５９】
ＩＩ）請求項２記載の塗布棒包装体によれば、塗布棒を使用する直前に第一液剤と第二液剤を混合させて混合液剤を塗布部材に含浸させるので、混合液剤が時間経過により成分変化しやすい場合に最適に使用することができる。
【００６０】
ＩＩＩ）請求項３記載の塗布棒包装体によれば、第二液剤を塗布部材に含浸させた後、第一液剤を第二液剤に混合させると共に塗布部材に含浸させるので、混合液剤が時間経過により成分変化しやすい場合や、複数の液剤を所定の順序に含浸させる場合に最適に使用することができる。
【００６１】
ＩＶ）請求項４記載の塗布棒包装体によれば、塗布棒を使用する直前に第一液剤と第二液剤を混合部で混合させて混合液剤を塗布部材に含浸させるので、混合液剤が時間経過により成分変化しやすい場合や、混合液剤を完全に混合させる場合に最適に使用することができる。
【００６２】
Ｖ）請求項５に示す如く、塗布棒収納部と軸部の間の隙間を外部から押えて塞ぎ得る間隔で形成し且つ塗布棒収納部に押えマークを付すと、塗布部材に液剤を含浸させる際には、押えマークを押えることにより軸部への液剤の飛散を防止するので、軸部が液剤で汚れることがなく、塗布棒を容易に使用することができる。
【００６３】
ＶＩ）請求項６に示す如く、液剤収納部に分離帯を連通させる破裂部を形成し、もしくは、請求項７に示す如く、分離帯を弱シールとすると、液剤収納部の押圧を介して分離帯を容易に連通するので、塗布部材に液剤を簡易に含浸させることができる。
【００６４】
ＶＩＩ）請求項８に示す如く、カバー部とシール部により形成し、前記シール部を反塗布部材側のシール部端から引き剥がし得るよう構成すると、カバー部に対しシール部をシール部端から引き剥がすので、塗布棒を取り出し得るよう容易に開封し得ることができる。
【図面の簡単な説明】
【図１】本発明の塗布棒包装体を実施する形態の第一例を示す透視図である。
【図２】図１のＩＩ−ＩＩ方向の矢視図である。
【図３】液剤収納部及び分離帯を詳細に示す拡大図である。
【図４】本発明の塗布棒包装体を実施する形態の第二例を示す透視図である。
【図５】本発明の塗布棒包装体を実施する形態の第三例を示す透視図である。
【図６】本発明の塗布棒包装体を実施する形態の第四例を示す透視図である。
【図７】従来の綿棒を使用する状態を示す概略図である。
【図８】綿棒及び液剤を内封した従来の包装体を使用する状態を示す概略図である。
【符号の説明】
１  綿棒（塗布棒）
２  軸部
３  綿部（塗布部材）
１０  塗布棒包装体
１１  シール部
１２  カバー部
１３  塗布棒収納部
１４  分離帯
１５  液剤収納部
１６  薬剤（液剤）
１７  シール部端
１８  隙間
１９  押えマーク
２０  破裂部
２１  塗布棒包装体
２２  シール部
２３  カバー部
２４  第一分離帯
２５  第一の液剤収納部
２６  第一薬剤（第一液剤）
２７  第二分離帯
２８  第二の液剤収納部
２９  第二薬剤（第二液剤）
３０  破裂部
３１  破裂部
３２  塗布棒包装体
３３  シール部
３４  カバー部
３５  分離帯
３６  第一の液剤収納部
３７  第一薬剤（第一液剤）
３８  第二の液剤収納部
３９  第二薬剤（第二液剤）
４１  破裂部
４２  破裂部
４３  塗布棒包装体
４４  シール部
４５  カバー部
４６  第一分離帯
４７  混合部
４８  第二分離帯
４９  第一の液剤収納部
５０  第一薬剤（第一液剤）
５１  第二の液剤収納部
５２  第二薬剤（第二液剤）
５４  破裂部
５５  破裂部
【図１】
0003654870.tif 000002
【図２】
0003654870.tif 000003
【図３】
0003654870.tif 000004
【図４】
0003654870.tif 000005
【図５】
0003654870.tif 000006
【図６】
0003654870.tif 000007
【図７】
0003654870.tif 000008
【図８】
0003654870.tif 000009